(57)【要約】【課題】ワンギリと称する迷惑電話の相手に対して課金することによって相手の負担を大きくし、ワン切り等の迷惑電話を少なくさせることを可能にする。【解決手段】メモリダイヤル１４１等の電話帳機能および着信履歴の表示機能をもつ留守番応答機能付き電話機において、発信者番号通知により発信者の電話番号が通知される通話（１３１）に対して、前記メモリダイヤルに登録されていない電話番号からの着信があった時（１３２）、着信側は着信鳴動するものの、前記発信者に対しては、着信状態にして呼び出し中であることを伝えるメッセージを流す（１３３）よう制御する制御手段を有することを特徴とする。        【選択図】  図１
2005184373.tif 000002
【特許請求の範囲】
【請求項１】
メモリダイヤル等の電話帳機能および着信履歴の表示機能をもつ留守番応答機能付き電話機において、発信者番号通知により発信者の電話番号が通知される通話に対して、前記メモリダイヤルに登録されていない電話番号からの着信があった時、着信側は着信鳴動するものの、前記発信者に対しては、着信状態にして呼び出し中であることを伝えるメッセージを流す制御手段を有することを特徴とする留守番応答機能付き電話機。
【請求項２】
制御手段が、着信に発信者からの電話番号が通知されているかどうかを判定する電話番号判定部と、この電話番号判定部で前記電話番号があった時メモリダイヤルに登録されているかどうかを検索する電話番号検索部と、このお電話番号検索部で前記電話番号が登録されていた時呼び出し中メッセージを送出する応答制御部とを有する請求項１記載の留守番応答機能付き電話機。
【請求項３】
制御手段が、着信内容を記録する留守番記録手段を有する請求項１または２記載の留守番応答機能付き電話機。
【請求項４】
メモリダイヤル等の電話帳機能および着信履歴の表示機能をもつ留守番応答機能付き電話機の接続制御方法において、発信者番号通知により発信者の電話番号が通知される通話に対して、前記メモリダイヤルに登録されていない電話番号からの着信があると判定される時、着信側は着信音を鳴動させ、かつ前記発信者に対しては、着信状態にして呼び出し中であることを伝えるメッセージを流すことを特徴とする留守番応答機能付き電話機の接続制御方法。
【請求項５】
メモリダイヤルに登録されていない電話番号からの着信があると判定される時、呼び出し中であることを伝えるメッセージを流すと共に、その着信を記録する請求項４記載の留守番応答機能付き電話機の接続制御方法。
【請求項６】
着信に発信者からの電話番号が通知されているかどうかを判定する工程と、前記電話番号の通知があった時メモリダイヤルに登録されているかどうかを検索する工程と、前記電話番号が登録されているとた時呼び出し中メッセージを送出する工程とを有する請求項４または５記載の留守番応答機能付き電話機の接続制御方法。
【発明の詳細な説明】
【技術分野】
【０００１】
本発明は、留守番応答機能付き電話機およびその接続制御方法に関し、特に迷惑電話に対応できる機能をもった留守番応答機能付き電話機およびその接続制御方法に関する。
【背景技術】
【０００２】
発信者番号通知を利用した着信履歴機能は、携帯電話やデジタルＩＳＤＮ電話等で広く利用されている。このような着信履歴は、応答しなかった着信の履歴も残すことができる。この応答しなかった着信に対して発信者には通話料がかからないため、着信相手が応答できる前に切断してしまえば、通話料をかけることなく着信履歴だけを残すことができる。
【０００３】
このシステムを逆手にとって、無差別に発信しては短時間で切断して、着信履歴を残し、電話をかけ直してきた相手に対して有料番組の利用料と称して金銭を請求する行為が横行し、社会問題化してている。これは、所謂ワン切りと言われる迷惑電話である。
【０００４】
このような迷惑電話への対策としては、電話端末の着信履歴エリアに着信電話データの格納を拒否する発信者電話番号をあらかじめ拒否特定番号として登録するものがある。これは、着信時に通知された発信者電話番号とこの拒否特定番号とを比較し、不一致のときのみ着信電話データの格納を行う技術である（例えば、特許文献１参照）。また、通常、自分から発信したり、あるいはよくかけてくる相手の電話番号はメモリダイヤルに登録しておくことが多い。このためそうした相手からは、通常着信とし、 登録していない非登録発信者からの着信は、留守番電話となるようにする技術も開示されている（例えば、特許文献２参照）。
【０００５】
さらに、携帯電話端末で迷惑電話に対応するモードを設定した場合に着呼を検出したとき、直ちに相手側との回線を接続し、発呼側の端末に対し呼出音を送出し着呼側を呼び出し中であることを示すメッセージを送出する技術もある（例えば、特許文献３参照）。この技術につい図４により説明する。
【０００６】
図４はワン切りモード設定時の動作を示すフロー図である。始めに、携帯電話端末に備える迷惑電話対策用のワン切りボタンの操作によりワン切り対策用モードを設定する（ステップ１：Ｓ１）。このモード設定は、必ずしもこの特定ボタンの押下や、機能メニュ−の中から選択する。この状態で着信を検出すると（Ｓ２）、携帯電話端末は直ちに回線を自動接続して（Ｓ３）、電話をかけてきた相手に対して呼出音を送出し（Ｓ４）、メッセージを流す（Ｓ５）。このアナウンスメッセージは、例えば「只今、呼び出し中です」というように、現在着信者を呼び出し中である旨を伝えるものであり、相手が出たものとは区別できるようにする。携帯電話端末は相手が電話を切るまで、または設定時間後まで回線を接続し着信音を鳴動しつづける（Ｓ４）。着信者が応答する場合は応答キーを押し（Ｓ６）、通話を確立させ会話を行う（Ｓ７）。
【０００７】
この従来技術では、ワン切り対策用モード設定時には、着信音を鳴らす前に発呼者との回線を接続する、つまり着呼端末が直ちに応答することにより、発呼者に対して課金させ、発呼者の負担を大きくすることで迷惑電話を減少させている。また、他の方法として、携帯電話端末の電話番号帳に非記録の電話番号に対してのみ有効とするようにできることが示されている。
【０００８】
【特許文献１】特開２００１−２１７９１９号公報
【特許文献２】特開平３−１８１２５８号公報
【特許文献３】特願２００２−３３６７６４号
【発明の開示】
【発明が解決しようとする課題】
【０００９】
しかし、この従来技術では、特許文献１の場合、拒否特定番号しか拒否できず、登録されない拒否特定番号への対応が出来ない。また、特許文献２の場合、呼び出し信号が切断されているので、着信者はかけ直しをする必要があり、すぐ対応できないという問題がある。  
さらに、特許文献３については、予め携帯電話端末で迷惑電話に対応するモードに設定
しておく必要があり、そのモードに設定しなかった場合は対応はできない。また、全ての着信にすぐ応答して呼び出し信号を送るので、着信者が不在で対応はできない場合にも、回線を接続し発呼者に対して課金を生じさせてしまう問題がある。
【００１０】
このワンギリと呼ばれる迷惑電話は、通話相手の着信履歴に自局番号を残すことを目的として短時間で通話を切断する行為である。このような迷惑電話に対して通話料金を課すようにでき、その料金負担が大きくなれば、発呼者、例えばワン切り業者は、必然的にダメージを受け迷惑電話を止めることになり、迷惑電話が減少することになると考えられる。
【００１１】
本発明の目的は、このように迷惑電話の相手に対して課金することによって相手の負担を大きくし、ワン切り等の迷惑電話を少なくさせることが可能な留守番電話機能付き電話機およびその接続制御方法を提供することにある。
【課題を解決するための手段】
【００１２】
本発明の構成は、メモリダイヤル等の電話帳機能および着信履歴の表示機能をもつ留守番応答機能付き電話機において、発信者番号通知により発信者の電話番号が通知される通話に対して、前記メモリダイヤルに登録されていない電話番号からの着信に対しては、着信側は着信鳴動するものの、前記発信者に対しては、着信状態にして呼び出し中であることを伝えるメッセージを流す制御手段を持たせることを特徴とする。
【００１３】
本発明において、制御手段が、着信に発信者からの電話番号が通知されているかどうかを判定する電話番号判定部と、この電話番号判定部で前記電話番号があった時メモリダイヤルに登録されているかどうかを検索する電話番号検索部と、このお電話番号検索部で前記電話番号が登録されていた時呼び出し中メッセージを送出する応答制御部とを有することができ、また、着信内容を記録する留守番記録手段を有することができる。
【００１４】
また、本発明他のの構成は、メモリダイヤル等の電話帳機能および着信履歴の表示機能をもつ留守番応答機能付き電話機の接続制御方法において、発信者番号通知により発信者の電話番号が通知される通話に対して、前記メモリダイヤルに登録されていない電話番号からの着信があると判定される時、着信側は着信音を鳴動させ、かつ前記発信者に対しては、着信状態にして呼び出し中であることを伝えるメッセージを流すことを特徴とする。
【００１５】
本発明において、メモリダイヤルに登録されていない電話番号からの着信があると判定される時、呼び出し中であることを伝えるメッセージを流すと共に、その着信を記録する
ことができ、また、着信に発信者からの電話番号が通知されているかどうかを判定する工程と、前記電話番号の通知があった時メモリダイヤルに登録されているかどうかを検索する工程と、前記電話番号が登録されているとた時呼び出し中メッセージを送出する工程とを有することができる。
【発明の効果】
【００１６】
以上説明したように、本発明によれば、発信者番号を通知してくる相手からの着信でメモリダイヤルに登録されていない相手からの通話は即通話状態になり、発信者は着信者が応答するまでの間も通話料金が発生する。通常、自分から発信したり、あるいはよくかけてくる相手の電話番号はメモリダイヤルに登録しておくことが多いため、そうした相手からの着信は即通話状態になることはない。また、発信者番号の通知のできない公衆電話や国際電話からの着信や発信者番号を非通知にしている着信についても即通話状態になることはない。
【００１７】
このように、発信者番号を通知してくるが、メモリダイヤルに登録されていない相手からの着信のみ、即通話状態にすることにより発信者に通話料金が発生するようにすることができる。従って、ワンギリと呼ばれる通話相手の着信履歴に自局番号を残すことを目的として短時間で通話を切断する行為に対して通話料金を課すことができるようになる。
【００１８】
ワンギリと称される行為をする者は、通話料金がかからないために、不特定多数に対してワンギリを繰り返すが、通話先が着信するとすぐに応答保留状態になってしまうため通話料金が発生してしまうため、そうした行為を抑制させる効果がある。
【発明を実施するための最良の形態】
【００１９】
次に図面により本発明の実施形態を説明する。図１（ａ）（ｂ）は本発明の一実施形態の留守番応答機能を持つ電話機及びその制御部のブロック図である。図１に示すように、発信者番号通知機能とメモリダイヤル機能と留守番応答機能を持つ電話機において、メモリダイヤルに登録されていない相手からの着信の場合には、着信鳴動しつつ応答保留状態になる。着信側が応答するか一定時間を経過するまでは、通話相手に対して呼び出し中であることを知らせるメッセージを流す。一定時間内に着信者が応答しなければ留守番応答に切り替わり、発信者からのメッセージを記録する制御手段を持っている。  
【実施例１】
【００２０】
図１（ａ）において、無線通信部１１は、基地局との通信制御をアンテナ２０を介して行い、音声処理部１２は、通話音声の処理を行い、スピーカ１８に通話相手の音声を出力し、マイクロフォン（マイク）１７で通話相手に送る音声を入力する。制御部１３は、無線通信部１１、音声処理部１２の制御を行い、メモリダイヤルや着信や発信の履歴等を記憶部１４に記録する。入力装置１５でダイヤル入力等の電話機の操作を行い、表示装置１６に発信者の電話番号等の情報を表示し、着信したときの鳴動音やキー操作時のクリック音等をスピーカ１９へ出力する。
【００２１】
図１（ｂ）において、制御部１３の詳細が示されている。制御部１３は、発信番号判定部１３１、発信番号検索部１３２、応答制御部１３３、留守番電話（留守電）制御部１３４からなる。また、記憶部１４には、メモリダイヤルを記憶するメモリダイアル１４１、応答を記憶する留守番応答メモリ１４２、着信を記憶する留守番記録メモリ１４３、その他の制御用メモリが含まれる。
【００２２】
次に、図２のフロー図を使って、本実施例の動作の説明をする。まず、最初にステップＳ１０１で、着信があると、発信者番号あるいは非通知理由を受信する（Ｓ１０２）。ステップＳ１０３では、発信番号判定部１３１は発信者番号情報があるかどうか判定する。発信者番号情報がない場合には非通知理由を受信したことになり、この非通知理由を表示装置１６に表示して（Ｓ１０５）着信鳴動する（Ｓ１１５）。
【００２３】
また、ステップＳ１０３で発信者番号がありと判定された時、発信番号検索部１３２は、ダイヤルメモリ１４１に一致する番号が登録されているどうかか検索する（Ｓ１０４）。この検索の結果、一致する発信番号があれば、応答制御部１３３は、メモリダイヤル１４１に登録されている通話相手の氏名等の情報を表示装置１６に表示して（Ｓ１０７）着信鳴動し（Ｓ１１５）、応答を待つ（Ｓ１１６）。
また、該当する番号が無い場合には、応答制御部１３３は、発信者番号を表示装置１６に表示する（Ｓ１０８）。また、応答制御部１３３は、発信者に対しては通話状態にし、留守番応答メモリ１４２から呼び出し中であることを伝えるメッセージを呼び出して流し（Ｓ１０９）、着信鳴動して（Ｓ１１０）、応答するか規定時間をこえるまで待つ（Ｓ１１１、Ｓ１１２）。
【００２４】
この着信鳴動中（Ｓ１１１）に応答があると、制御部１３は音声処理部１２を制御し、通話を開始し（Ｓ１１７）、通話終了後（Ｓ１１８）に回線を切断する（Ｓ１１９）。ステップＳ１１２で、応答制御部１３３が規定時間を越えたことを判断すると、留守番電話制御部１３４が、留守番応答に切り替わり通話相手からのメッセージを留守番記録メモリ１４３に記録する（Ｓ１１３）。メッセージの記録の終了後（Ｓ１１４）、回線を切断する（Ｓ１１９）。
【００２５】
この実施例によれば、発信者番号を通知してくる相手からの着信でメモリダイヤルに登録されていない相手からの通話は即通話状態になり、発信者は着信者が応答するまでの間も通話料金が発生する。そのため、ワンギリと称される行為を抑制することになる。  
【実施例２】
【００２６】
図３は本発明の第２の実施例の電話機を説明するブロック図で、図１の無線通信部１１を有線通信部１１ａに置き換えたもので、局内回線２１を介してアナログあるいはデジタルＩＳＤＮ回線網を利用する電話機での実施例である。この実施例２に対しても実施例１と同様な効果が期待できる。  
【産業上の利用可能性】
【００２７】
本発明は、留守番応答機能付き電話機であれば、携帯電話などの無線電話機、また、通常の回線に接続される電話機にも適用できる。
【図面の簡単な説明】
【００２８】
【図１】（ａ）（ｂ）は本発明の第１の実施例の留守番応答機能付き電話機およびその制御部のブロックの図である。
【図２】図１の実施例の処理を説明するフロー図である。
【図３】本発明の第２の実施例の電話機を説明するブロック図である。
【図４】従来例の留守番応答機能付き電話機の処理を説明するフロー図である。
【符号の説明】
【００２９】
１１    無線通信部
１１ａ    有線通信部
１２    音声処理部
１３    制御部
１４    記憶部
１５    入力装置
１６    表示装置
１７    マイクロフォン
１８，１９    スピーカ
２０    アンテナ
２１    局内回線
１３１    発信番号判定部
１３２    発信番号検索部
１３３    応答制御部
１３４    留守電制御部
１４１    メモリダイアル
１４２    留守番応答メモリ
１４３    留守番記録メモリ
Ｓ１〜７，Ｓ１０１〜１１９    処理ステップ
【図１】
2005184373.tif 000003
【図２】
2005184373.tif 000004
【図３】
2005184373.tif 000005
【図４】
2005184373.tif 000006